(57)【要約】      （修正有）【課題】自動車事故に対する保険適用に際して、照会情報、事故日情報、所有者情報、及び登録情報、並びにその他の情報が記載された保険適用照会用の書類をＦＡＸした場合、ＦＡＸ宛先を間違えるような事態が起きても、その間違先の第三者は内容を特定できず、しかしながら正しい宛先の者には内容が間違い無く判読できるようにする為の技術を提供する。【解決手段】照会情報、事故日情報、所有者情報、及び登録情報、並びにその他の情報が記載された書類から情報を読み取る場合に前記情報の中の特定の情報が読み取られないようにマスク手段を備えた情報読取用補助具であって、前記マスク手段は、前記照会情報の一部の情報、前記事故日情報の全ての情報、及び所有者情報の一部の情報に対応して設けられてなる。【選択図】図３
0003131164.tif 000002
【実用新案登録請求の範囲】
【請求項１】
照会情報、事故日情報、所有者情報、及び登録情報、並びにその他の情報が記載された書類から情報を読み取る場合に前記情報の中の特定の情報が読み取られないようにマスク手段を備えた情報読取用補助具であって、
前記マスク手段は、
前記照会情報の一部の情報、前記事故日情報の全ての情報、及び所有者情報の一部の情報に対応して設けられてなる
ことを特徴とする情報読取用補助具。
【請求項２】
書類は事故処理に際しての保険使用についての照会用のものであり、
照会情報の一部の情報は、事故を特定する必須情報を除いた情報であり、
所有者情報の一部の情報は、姓または名の何れか一方である
ことを特徴とする請求項１の情報読取用補助具。
【請求項３】
情報読取用補助具は透明シート材で構成されたものであり、
前記透明シート材の特定箇所に非透明材からなるマスク手段が設けられたものである
ことを特徴とする請求項１又は請求２の情報読取用補助具。
【請求項４】
書類を挟むように透明シート材が２枚有り、その中の少なくとも一方にマスク手段が設けられたものである
ことを特徴とする請求項３の情報読取用補助具。
【請求項５】
透明シート材は軟性なものであることを特徴とする請求項３又は請求項４の情報読取用補助具。
【考案の詳細な説明】
【技術分野】
【０００１】
本考案は、特に、自動車事故に対する保険適用に際して、照会情報、事故日情報、所有者情報、及び登録情報、並びにその他の情報が記載された保険適用照会用の書類をＦＡＸした場合、ＦＡＸ宛先を間違えるような事態が起きても、その間違先の第三者には内容を特定できず、しかしながら正しい宛先の者には内容が間違い無く判読できるようにする為の情報読取用補助具に関する。
【背景技術】
【０００２】
運転免許証、健康保険証、パスポート等には、顔写真、氏名、本籍、住所などの本人確認用の種々の個人情報が記載されている。従って、これらの書類は、個人の身分を証明する為に用いられる。例えば、携帯電話を購入する際、或いは銀行口座の開設の際、その他にも特定の契約の手続きに際して、身分証明を求められた場合に、前記の書類は、しばしば、用いられている。そして、後日の為に、相手方は、了解を得て、その身分証を複写している。
【０００３】
さて、身分証を複写する際、或る特定の記載事項のみが複写されておれば十分であり、身分証に記載の全ての事項が複写されてなくても良いことは多い。例えば、本籍地や家族名と言った事項まで複写されるのは、その本人にしてみれば、余り愉快なものでは無い。
【０００４】
このような観点から、身分証を収納し、身分証を収納した状態で、該身分証の記載事項の所定情報と重なる位置に、該所定情報を隠す為のマスクを備えたことを特徴とする身分証ホルダーが提案されている。
【０００５】
この身分証ホルダーＹは、透明なフィルムを二つ折りにした構成を有し、その寸法は、運転免許証より若干大きく、例えば縦５．５〜７ｃｍ、横１０〜１２ｃｍである。そして、フィルムの一辺は溶着などにより互いに接着されている。すなわち、ほぼ長方形の透明フィルムが、２枚に重なるように折り畳まれ、折畳辺に隣接の一辺が溶着などにより接続されている。そして、折り畳まれたフィルムとフィルムとの間に身分証Ｚを収納できるようになっている。更に、身分証ホルダーＹの一角（溶着辺と折畳辺との交差点）に身分証Ｚの角が位置するように身分証Ｚが収納された収納状態において、収納された身分証Ｚの特定記載事項、例えば本籍記載欄に重なるようにマスクが設けられている。尚、マスクは、例えば幅０．３ｃｍ、長さ９．０ｃｍで、白い塗料をコーティングすることにより形成されたものである。これにより、身分証ホルダーＹに身分証Ｚを収納した際、本籍地欄がマスクにより隠されるから、複写機で複写しても、身分証Ｚに記載の本籍地事項は複写されないものとなる。
【特許文献１】特許第３３８６７７４号
【考案の開示】
【考案が解決しようとする課題】
【０００６】
さて、上記提案の技術によれば、身分証ホルダーＹに収納した状態で身分証Ｚを複写機で複写した場合、特定の記載事項が複写されないようにしてなるから、身分証Ｚの保持者は必要以外の箇所の情報が相手方に保管されないようになり、好ましい。
【０００７】
そして、この身分証ホルダーＹを用いた場合、身分証Ｚに記載されている記載事項の中、複写が望まれない事項を、一々、紙やテープ等で隠して複写する場合に比べたならば、その作業性が良いと謳われている。
【０００８】
ところで、上記の特許文献にあっては、望まれない事項を隠すものであるが、何が望まれない事項かは対象によって異なる。
【０００９】
例えば、自動車事故が起きた場合に、保険会社と修理工場との間では、保険適用などについての書類の遣り取りがＦＡＸでなされることが多い。このようなＦＡＸ送信時に担当者は十分に注意を払っているものの、ＦＡＸ宛先を間違う確率が０とは言えず、間違える場合も起き得る。
【００１０】
このような場合、ＦＡＸ書類に記載された内容が第三者に読まれても、基本的には、大きな問題となるようなことは無いものの、それでも、やはり、感覚的には嫌なものが有る。
【００１１】
従って、本考案が解決しようとする課題は、自動車事故に対する保険適用に際して、照会情報、事故日情報、所有者情報、及び登録情報、並びにその他の情報が記載された保険適用照会用の書類をＦＡＸした場合、ＦＡＸ宛先を間違えるような事態が起きても、その間違先の第三者は内容を特定できず、しかしながら正しい宛先の者には内容が間違い無く判読できるようにする為の技術を提供することである。
【課題を解決するための手段】
【００１２】
前記の課題は、照会情報、事故日情報、所有者情報、及び登録情報、並びにその他の情報が記載された書類から情報を読み取る場合に前記情報の中の特定の情報が読み取られないようにマスク手段を備えた情報読取用補助具であって、
前記マスク手段は、
前記照会情報の一部の情報、前記事故日情報の全ての情報、及び所有者情報の一部の情報に対応して設けられてなる
ことを特徴とする情報読取用補助具によって解決される。
【００１３】
特に、照会情報、事故日情報、所有者情報、及び登録情報、並びにその他の情報が記載された事故処理に際しての保険使用についての照会用の書類から情報を読み取る場合に前記情報の中の特定の情報が読み取られないようにマスク手段を備えた情報読取用補助具であって、
前記マスク手段は、
前記照会情報の一部の情報、前記事故日情報の全ての情報、及び所有者情報の一部の情報に対応して設けられてなり、
前記照会情報の一部の情報は、事故を特定する必須情報を除いた情報であり、
前記所有者情報の一部の情報は、姓または名の何れか一方である
ことを特徴とする情報読取用補助具によって解決される。
【００１４】
又、上記の情報読取用補助具であって、
情報読取用補助具は透明シート材で構成されたものであり、
前記透明シート材の特定箇所に非透明材からなるマスク手段が設けられたものである
ことを特徴とする情報読取用補助具によって解決される。
【００１５】
更には、上記の情報読取用補助具であって、
書類を挟むように透明シート材が２枚有り、その中の少なくとも一方にマスク手段が設けられたものである
ことを特徴とする情報読取用補助具によって解決される。
【考案の効果】
【００１６】
本考案によれば、自動車事故に対する保険適用に際して、照会情報、事故日情報、所有者情報、及び登録情報、並びにその他の情報が記載された保険適用照会用の書類をＦＡＸした場合、ＦＡＸ宛先が間違っていても、その間違先の第三者には書類内容を特定できず、しかしながら正しい宛先の者には内容が間違い無く判読できる。
【００１７】
従って、事務処理がスムーズに行なわれる。かつ、情報漏れの心配をしないで済む。
【考案を実施するための最良の形態】
【００１８】
図１〜図３は本考案になる情報読取用補助具の一実施形態を示すもので、図１は保険会社と修理工場との間でＦＡＸによる遣り取りが行なわれる書類の平面図、図２は本考案になる情報読取用補助具の平面図、図３は図１の書類と図２の情報読取用補助具とが重なり合った状態における平面図である。
【００１９】
各図中、Ｅは保険会社と修理工場との間でＦＡＸによる遣り取りが行なわれる書類、Ｆは本考案になる情報読取用補助具（シート）である。
【００２０】
書類Ｅは、図１からも判る通り、「ご照会カード」と言う見出しが付いた書類である。そして、この書類Ｅには、書類発行元の名前「株式会社損害保険ジャパ」と、書類宛先（ＦＡＸ宛先）の名前「（株）ジャパン自動車整備  御中」とが記載されている。更には、「照会番号（保険の照会番号）」の文字と、該照会番号（数字）「７３−１２３４５６７８９−１０−００」とが記載されている。又、「事故日」の文字と、該事故日「０６年１月１日」とが記載されている。又、事故に会った車の「所有者名」の文字と、該所有者の姓名「鈴木  昌」とが記載されている。又、当該車の「登録番号」の文字と、該登録番号「新宿  ７７７あ１２３４」とが記載されている。
【００２１】
更に、「修理代金に関するご照会」の文字と、「サービスセンター」の文字と、「見積担当」の文字と、「ＴＥＬ」の文字と、「ＦＡＸ」の文字と、前記情報に対応する情報とが記載されている。
【００２２】
又、「お支払いに関するご照会」の文字と、「サービスセンター」の文字と、「支払担当」の文字と、「ＴＥＬ」の文字と、「ＦＡＸ」の文字と、前記情報に対応する情報とが記載されている。
【００２３】
又、備考欄が設けられていて、所望内容の情報が記載されるようになっている。
【００２４】
更に、当該書類の下部に、書類発行元の名前「株式会社損害保険ジャパ  東京第三セクター」と照会番号の数字「７３−１２３４５６７８９−１０−００」とが記載されている。
【００２５】
情報読取用補助具（シート）Ｆは、所謂、クリアファイルのような形態の２枚の軟性の透明シートからなるものである。そして、２枚の透明シートの間に上記書類Ｅが挟まれるように構成されている。
【００２６】
上記２枚の透明シートの中の一方の透明シートの表面（外面と内面との両面でも、どちらか一方のどちらでも良い。）の所定の位置（図２中、黒色で塗り潰されている位置）には、例えば白色塗料が塗布されていて、当該箇所は不透明になっている。
【００２７】
本実施形態においては、
上記書類に記載された照会番号（数字）「７３−１２３４５６７８９−１０−００」における「７３」に対応する箇所、
「事故日」の文字と該事故日「０６年１月１日」とに対応する箇所、
所有者の姓名「鈴木  昌」における「昌」に対応する箇所
が不透明にされている。
【００２８】
従って、図２の情報読取用補助具（軟性シート）Ｆの２枚の軟性シートの中に図１の書類Ｅを挟むと、図３に示されるようになる。
【００２９】
すなわち、図２の情報読取用補助具（シート）Ｆの２枚のシートの中に図１の書類Ｅを挟んだものをＦＡＸした場合、ＦＡＸの受け手が得るものは図３に示されるものである。
【００３０】
このＦＡＸ受け手が得た書類は図３に示される通りであり、照会番号の中でマスクで隠されない「−１２３４５６７８９−１０−００」は事故を特定する必須情報であり、当該箇所を隠してしまったのでは、当事者にとって意味が無くなってしまうことから、事故を特定する必須情報「−１２３４５６７８９−１０−００」はオープンになるようにした。しかしながら、この数字の羅列を第三者が見ても、これは、全く何ら気になることは無い。すなわち、ＦＡＸの宛先を間違えたとしても、別段、問題にならない。
【００３１】
事故を特定する必須情報「−１２３４５６７８９−１０−００」が判れば、その他の情報が隠されていても大きな不都合は無い。例えば、所有者名「姓名」が隠されていても、大きな不都合は無い。しかしながら、所有者と折衝する場合が多いことから、姓名の中の「姓」「名」の中の一方、例えば「姓（鈴木）」はオープンになるようにした。これによって、担当者は、本件書類Ｅを受け取ることによって、相手方の姓を簡単に知ることが出来、相手方を正しく呼ぶことが出来、交渉もスムーズに進み易くなる。
【００３２】
事故日や当該日付は全て隠されてしまうようにした。これは、事故日の文字すら隠してしまったのは、事故に会ったこと自体を他人に気付かれるのは嫌なものであるからによる。そして、本件情報が隠されていても、別に問題になるような事態は起きないからである。
【００３３】
尚、マスクする箇所として、本考案の場合と異なる場合が幾つか考えられる。例えば、上記書類に記載された照会番号（数字）「７３−１２３４５６７８９−１０−００」における「７３」に対応する箇所、所有者の姓名「△△  ▽▽」における「▽▽」に対応する箇所、及び登録番号「新宿  ７７７あ１２３４」における「新宿  ７７７あ」に対応する箇所のみをマスクすることも考えられる。
しかしながら、このような場合には、間違ってＦＡＸを受け取った者は、事故日に関する情報と所有者の姓から誰それさんが事故を起こしたことを類推できることになり、余り愉快でない情報が飛び交うことになることから、上記のような手法は好ましく無い。
【図面の簡単な説明】
【００３４】
【図１】保険会社と修理工場との間でＦＡＸによる遣り取りが行なわれる書類の平面図
【図２】本考案になる情報読取用補助具の平面図
【図３】図１の書類と図２の情報読取用補助具とが重なり合った状態における平面図
【符号の説明】
【００３５】
Ｅ          書類
Ｆ          情報読取用補助具
代  理  人  宇      高      克      己
【図１】
0003131164.tif 000003
【図２】
0003131164.tif 000004
【図３】
0003131164.tif 000005
【手続補正書】
【提出日】平成19年2月9日(2007.2.9)
【手続補正１】
【補正対象書類名】実用新案登録請求の範囲
【補正対象項目名】全文
【補正方法】変更
【補正の内容】
【実用新案登録請求の範囲】
【請求項１】
照会情報、事故日情報、所有者情報、及び登録情報、並びにその他の情報が記載された書類から情報を読み取る場合に前記情報の中の特定の情報が読み取られないようにマスクを備えた情報読取用補助具であって、
前記情報読取用補助具は、二枚の透明シート材を具備して、該二枚の透明シート材によって前記書類を挟むことが出来るようにファイル状に構成されてなり、
前記二枚の透明シート材の少なくとも一方にマスクが設けられ、
前記マスクは、前記書類における照会情報の一部の情報、事故日情報の全ての情報、及び所有者情報の一部の情報に対応して設けられたものである
ことを特徴とする情報読取用補助具。
【請求項２】
書類は事故処理に際しての保険使用についての照会用のものであり、
照会情報の一部の情報は、事故を特定する必須情報を除いた情報であり、
所有者情報の一部の情報は、姓または名の何れか一方である
ことを特徴とする請求項１の情報読取用補助具。
【請求項３】
マスクは非透明材からなる
ことを特徴とする請求項１又は請求２の情報読取用補助具。
【請求項４】
マスクは白色塗膜からなる
ことを特徴とする請求項１〜請求項３いずれかの情報読取用補助具。
【請求項５】
透明シート材は軟性なものであることを特徴とする請求項１〜請求項４いずれかの情報読取用補助具。
【手続補正２】
【補正対象書類名】明細書
【補正対象項目名】全文
【補正方法】変更
【補正の内容】
【考案の詳細な説明】
【技術分野】
【０００１】
本考案は、特に、自動車事故に対する保険適用に際して、照会情報、事故日情報、所有者情報、及び登録情報、並びにその他の情報が記載された保険適用照会用の書類をＦＡＸした場合、ＦＡＸ宛先を間違えるような事態が起きても、その間違先の第三者には内容を特定できず、しかしながら正しい宛先の者には内容が間違い無く判読できるようにする為の情報読取用補助具に関する。
【背景技術】
【０００２】
運転免許証、健康保険証、パスポート等には、顔写真、氏名、本籍、住所などの本人確認用の種々の個人情報が記載されている。従って、これらの書類は、個人の身分を証明する為に用いられる。例えば、携帯電話を購入する際、或いは銀行口座の開設の際、その他にも特定の契約の手続きに際して、身分証明を求められた場合に、前記の書類は、しばしば、用いられている。そして、後日の為に、相手方は、了解を得て、その身分証を複写している。
【０００３】
さて、身分証を複写する際、或る特定の記載事項のみが複写されておれば十分であり、身分証に記載の全ての事項が複写されてなくても良いことは多い。例えば、本籍地や家族名と言った事項まで複写されるのは、その本人にしてみれば、余り愉快なものでは無い。
【０００４】
このような観点から、身分証を収納し、身分証を収納した状態で、該身分証の記載事項の所定情報と重なる位置に、該所定情報を隠す為のマスクを備えたことを特徴とする身分証ホルダーが提案されている。
【０００５】
この身分証ホルダーＹは、透明なフィルムを二つ折りにした構成を有し、その寸法は、運転免許証より若干大きく、例えば縦５．５〜７ｃｍ、横１０〜１２ｃｍである。そして、フィルムの一辺は溶着などにより互いに接着されている。すなわち、ほぼ長方形の透明フィルムが、２枚に重なるように折り畳まれ、折畳辺に隣接の一辺が溶着などにより接続されている。そして、折り畳まれたフィルムとフィルムとの間に身分証Ｚを収納できるようになっている。更に、身分証ホルダーＹの一角（溶着辺と折畳辺との交差点）に身分証Ｚの角が位置するように身分証Ｚが収納された収納状態において、収納された身分証Ｚの特定記載事項、例えば本籍記載欄に重なるようにマスクが設けられている。尚、マスクは、例えば幅０．３ｃｍ、長さ９．０ｃｍで、白い塗料をコーティングすることにより形成されたものである。これにより、身分証ホルダーＹに身分証Ｚを収納した際、本籍地欄がマスクにより隠されるから、複写機で複写しても、身分証Ｚに記載の本籍地事項は複写されないものとなる。
【特許文献１】特許第３３８６７７４号
【考案の開示】
【考案が解決しようとする課題】
【０００６】
さて、上記提案の技術によれば、身分証ホルダーＹに収納した状態で身分証Ｚを複写機で複写した場合、特定の記載事項が複写されないようにしてなるから、身分証Ｚの保持者は必要以外の箇所の情報が相手方に保管されないようになり、好ましい。
【０００７】
そして、この身分証ホルダーＹを用いた場合、身分証Ｚに記載されている記載事項の中、複写が望まれない事項を、一々、紙やテープ等で隠して複写する場合に比べたならば、その作業性が良いと謳われている。
【０００８】
ところで、上記の特許文献にあっては、望まれない事項を隠すものであるが、何が望まれない事項かは対象によって異なる。
【０００９】
例えば、自動車事故が起きた場合に、保険会社と修理工場との間では、保険適用などについての書類の遣り取りがＦＡＸでなされることが多い。このようなＦＡＸ送信時に担当者は十分に注意を払っているものの、ＦＡＸ宛先を間違う確率が０とは言えず、間違える場合も起き得る。
【００１０】
このような場合、ＦＡＸ書類に記載された内容が第三者に読まれても、基本的には、大きな問題となるようなことは無いものの、それでも、やはり、感覚的には嫌なものが有る。
【００１１】
従って、本考案が解決しようとする課題は、自動車事故に対する保険適用に際して、照会情報、事故日情報、所有者情報、及び登録情報、並びにその他の情報が記載された保険適用照会用の書類をＦＡＸした場合、ＦＡＸ宛先を間違えるような事態が起きても、その間違先の第三者は内容を特定できず、しかしながら正しい宛先の者には内容が間違い無く判読できるようにする為の技術を提供することである。
【課題を解決するための手段】
【００１２】
前記の課題は、照会情報、事故日情報、所有者情報、及び登録情報、並びにその他の情報が記載された書類から情報を読み取る場合に前記情報の中の特定の情報が読み取られないようにマスクを備えた情報読取用補助具であって、
前記情報読取用補助具は、二枚の透明シート材を具備して、該二枚の透明シート材によって前記書類を挟むことが出来るようにファイル状に構成されてなり、
前記二枚の透明シート材の少なくとも一方にマスクが設けられ、
前記マスクは、前記書類における照会情報の一部の情報、事故日情報の全ての情報、及び所有者情報の一部の情報に対応して設けられたものである
ことを特徴とする情報読取用補助具によって解決される。
【００１３】
特に、照会情報、事故日情報、所有者情報、及び登録情報、並びにその他の情報が記載された事故処理に際しての保険使用についての照会用の書類から情報を読み取る場合に前記情報の中の特定の情報が読み取られないようにマスクを備えた情報読取用補助具であって、
前記情報読取用補助具は、二枚の透明シート材を具備して、該二枚の透明シート材によって前記書類を挟むことが出来るようにファイル状に構成されてなり、
前記二枚の透明シート材の少なくとも一方にマスクが設けられ、
前記マスクは、前記書類における照会情報の一部の情報、事故日情報の全ての情報、及び所有者情報の一部の情報に対応して設けられたものであり、
前記所有者情報の一部の情報は、姓または名の何れか一方である
ことを特徴とする情報読取用補助具によって解決される。
【００１４】
又、上記の情報読取用補助具であって、マスクは非透明材からなることを特徴とする情報読取用補助具によって解決される。
【００１５】
更には、上記の情報読取用補助具であって、マスクは白色塗膜からなることを特徴とする情報読取用補助具によって解決される。
【００１６】
更には、上記の情報読取用補助具であって、透明シート材は軟性なものであることを特徴とする情報読取用補助具によって解決される。
【考案の効果】
【００１７】
本考案によれば、自動車事故に対する保険適用に際して、照会情報、事故日情報、所有者情報、及び登録情報、並びにその他の情報が記載された保険適用照会用の書類をＦＡＸした場合、ＦＡＸ宛先が間違っていても、その間違先の第三者には書類内容を特定できず、しかしながら正しい宛先の者には内容が間違い無く判読できる。
従って、事務処理がスムーズに行なわれる。かつ、情報漏れの心配をしないで済む。
【考案を実施するための最良の形態】
【００１８】
図１〜図３は本考案になる情報読取用補助具の一実施形態を示すもので、図１は保険会社と修理工場との間でＦＡＸによる遣り取りが行なわれる書類の平面図、図２は本考案になる情報読取用補助具の平面図、図３は図１の書類と図２の情報読取用補助具とが重なり合った状態における平面図である。
【００１９】
各図中、Ｅは保険会社と修理工場との間でＦＡＸによる遣り取りが行なわれる書類、Ｆは本考案になる情報読取用補助具（シート）である。
【００２０】
書類Ｅは、図１からも判る通り、「ご照会カード」と言う見出しが付いた書類である。そして、この書類Ｅには、書類発行元の名前「株式会社損害保険」と、書類宛先（ＦＡＸ宛先）の名前「（株）ジャパン自動車整備  御中」とが記載されている。更には、「照会番号（保険の照会番号）」の文字と、該照会番号（数字）「７３−１２３４５６７８９−１０−００」とが記載されている。又、「事故日」の文字と、該事故日「０６年１月１日」とが記載されている。又、事故に会った車の「所有者名」の文字と、該所有者の姓名「鈴木  昌」とが記載されている。又、当該車の「登録番号」の文字と、該登録番号「新宿  ７７７あ１２３４」とが記載されている。
【００２１】
更に、「修理代金に関するご照会」の文字と、「サービスセンター」の文字と、「見積担当」の文字と、「ＴＥＬ」の文字と、「ＦＡＸ」の文字と、前記情報に対応する情報とが記載されている。
【００２２】
又、「お支払いに関するご照会」の文字と、「サービスセンター」の文字と、「支払担当」の文字と、「ＴＥＬ」の文字と、「ＦＡＸ」の文字と、前記情報に対応する情報とが記載されている。
【００２３】
又、備考欄が設けられていて、所望内容の情報が記載されるようになっている。
【００２４】
更に、当該書類の下部に、書類発行元の名前「株式会社損害保険  東京第三センター」と照会番号の数字「７３−１２３４５６７８９−１０−００」とが記載されている。
【００２５】
情報読取用補助具（シート）Ｆは、所謂、クリアファイルのような形態の２枚の軟性の透明シートからなるものである。そして、２枚の透明シートの間に上記書類Ｅが挟まれるように構成されている。
【００２６】
上記２枚の透明シートの中の一方の透明シートの表面（外面と内面との両面でも、どちらか一方のどちらでも良い。）の所定の位置（図２中、黒色で塗り潰されている位置）には、例えば白色塗料が塗布されていて、当該箇所は不透明になっている。
【００２７】
本実施形態においては、
上記書類に記載された照会番号（数字）「７３−１２３４５６７８９−１０−００」における「７３」に対応する箇所、
「事故日」の文字と該事故日「０６年１月１日」とに対応する箇所、
所有者の姓名「鈴木  昌」における「昌」に対応する箇所
が不透明にされている。
【００２８】
従って、図２の情報読取用補助具（軟性シート）Ｆの２枚の軟性シートの中に図１の書類Ｅを挟むと、図３に示されるようになる。
【００２９】
すなわち、図２の情報読取用補助具（シート）Ｆの２枚のシートの中に図１の書類Ｅを挟んだものをＦＡＸした場合、ＦＡＸの受け手が得るものは図３に示されるものである。
【００３０】
このＦＡＸ受け手が得た書類は図３に示される通りであり、照会番号の中でマスクで隠されない「−１２３４５６７８９−１０−００」は事故を特定する必須情報であり、当該箇所を隠してしまったのでは、当事者にとって意味が無くなってしまうことから、事故を特定する必須情報「−１２３４５６７８９−１０−００」はオープンになるようにした。しかしながら、この数字の羅列を第三者が見ても、これは、全く何ら気になることは無い。すなわち、ＦＡＸの宛先を間違えたとしても、別段、問題にならない。
【００３１】
事故を特定する必須情報「−１２３４５６７８９−１０−００」が判れば、その他の情報が隠されていても大きな不都合は無い。例えば、所有者名「姓名」が隠されていても、大きな不都合は無い。しかしながら、所有者と折衝する場合が多いことから、姓名の中の「姓」「名」の中の一方、例えば「姓（鈴木）」はオープンになるようにした。これによって、担当者は、本件書類Ｅを受け取ることによって、相手方の姓を簡単に知ることが出来、相手方を正しく呼ぶことが出来、交渉もスムーズに進み易くなる。
【００３２】
事故日や当該日付は全て隠されてしまうようにした。これは、事故日の文字すら隠してしまったのは、事故に会ったこと自体を他人に気付かれるのは嫌なものであるからによる。そして、本件情報が隠されていても、別に問題になるような事態は起きないからである。
【００３３】
尚、マスクする箇所として、本考案の場合と異なる場合が幾つか考えられる。例えば、上記書類に記載された照会番号（数字）「７３−１２３４５６７８９−１０−００」における「７３」に対応する箇所、所有者の姓名「△△  ▽▽」における「▽▽」に対応する箇所、及び登録番号「新宿  ７７７あ１２３４」における「新宿  ７７７あ」に対応する箇所のみをマスクすることも考えられる。
しかしながら、このような場合には、間違ってＦＡＸを受け取った者は、事故日に関する情報と所有者の姓から誰それさんが事故を起こしたことを類推できることになり、余り愉快でない情報が飛び交うことになることから、上記のような手法は好ましく無い。
【図面の簡単な説明】
【００３４】
【図１】保険会社と修理工場との間でＦＡＸによる遣り取りが行なわれる書類の平面図
【図２】本考案になる情報読取用補助具の平面図
【図３】図１の書類と図２の情報読取用補助具とが重なり合った状態における平面図
【符号の説明】
【００３５】
Ｅ          書類
Ｆ          情報読取用補助具
【手続補正３】
【補正対象書類名】図面
【補正対象項目名】全図
【補正方法】変更
【補正の内容】
【図１】
0003131164.tif 000006
【図２】
0003131164.tif 000007
【図３】
0003131164.tif 000008